(57)【特許請求の範囲】
【請求項１】
火袋と、
該火袋の中に設けられた、光の色及び強度の少なくとも一方がそれぞれ異なる10〜20回/分の周期でばらばらに変化する複数のLED電球と、
前記複数のLED電球が周面に取り付けられた固定柱と、
前記固定柱の片端に取り付けられた、電球用ソケットに対応した口金と、
前記固定柱の前記口金側に、開口が前記固定柱側となるように設けられた、前記複数のLED電球が発する光を反射する多角錐状の反射板と、
前記固定柱の前記口金とは反対側に前記反射板と対向するように設けられた、頂部が丸みを帯びた円錐形状の光拡散カバーと
を有し、
前記複数のLED電球の少なくとも1つが前記反射板に向けて取り付けられていることを特徴とする葬儀葬祭用照明具。
【発明の詳細な説明】
【技術分野】
【０００１】
本発明は、葬儀葬祭用照明具及びこれに用いられる光源に関する。
【背景技術】
【０００２】
古来より日本では、葬儀における四十九日間のお灯明として「灯篭」をお供えし、またお盆や回忌法要等の葬祭では先祖や故人の霊が迷わずに帰ってくるための道明かりとして「盆提灯」を飾ることが広く行われている。灯篭は、四十九日のお灯明としてだけでなく、遺族が故人の冥福を安らかに祈るとともに生前の姿を偲ぶものとして広く用いられる。また盆提灯も、盆時期の迎え火・送り火用だけでなく、先祖への祈り、故人を偲ぶお供え物として日本の文化、風習、しきたりの中、広く用いられる。
なお、「灯篭」や「盆提灯」の呼び名は一例に過ぎず、地域・地方によって異なる呼び名が用いられる場合もある。また、「灯篭」及び「盆提灯」の両者が明確に区別されて用いられる訳ではなく、地域・地方によっては灯篭と盆提灯の両方が同じ法事法要で用いられたり、灯篭及び盆提灯のいずれか一方を様々な法事法要で用いたりすることもある。以下の説明では、通夜、告別式、初七日から四十九日までの追悼法要を「葬儀」と呼び、一周忌や三回忌などの回忌法要、盆の行事等を「葬祭」と呼ぶ。また、葬儀や葬祭を含む、故人の霊を慰めるための様々な行事を総称して「葬儀葬祭」と呼び、葬儀葬祭で用いられる灯篭や盆提灯を総称して「葬儀葬祭用照明具」と呼ぶ。
【０００３】
葬儀葬祭用照明具として、特許文献１のような装置が広く知られている。この葬儀葬祭用照明具は、自立型の火袋の内部に光源として白熱電球を有するとともに、該白熱電球を覆うように円筒型の光彩装置を備えている。この光彩装置は、側面が光を透過する素材で作製されており、様々な色模様が施されているとともに、円筒底面に放射状の羽根板が切り起こされている。白熱電球を一定時間以上にわたり点灯し続けると、白熱電球から発せられる熱により生じた上昇気流が前記羽根板を押すことによって光彩装置がゆっくりと回転する。これに伴い、白熱電球から光彩装置を透過して火袋に照射される光の色及び強度が変化する。遺族らはこの美しい光の変化を眺めながら、故人や先祖の生前の姿を偲び、在りし日に想いを馳せる。
【先行技術文献】
【特許文献】
【０００４】
【特許文献１】特公平6-77402号公報
【発明の概要】
【発明が解決しようとする課題】
【０００５】
多くの場合、葬儀葬祭用照明具は、葬儀においては中陰法要の四十九日まで飾られ、また葬祭においてはお盆等の一定期間に亘って飾られる。従って、葬儀葬祭用照明具の火袋の内部の白熱電球も、長時間点灯され続けることになる。
【０００６】
しかしながら、従来のように光源として白熱電球を採用した場合、白熱電球は発熱しやすい上に火袋の内部は熱が籠もりやすいので、光彩装置などの白熱電球の近隣に位置する構成部材は長時間にわたり高温となる。従って、熱による色褪せなどの劣化を防ぐために、耐熱性を有する素材で作製する必要がある。さらに、白熱電球は長時間点灯することによって電力を多量に消費する上に、一般的に寿命が短いので頻繁に交換しなければならないという問題もあった。
【０００７】
そこで、本発明が解決しようとする課題は、光源の発熱量が小さく、省エネルギーで、且つ光源の交換頻度を少なく抑えることができる葬儀葬祭用照明具及びこれに用いられる光源を提供することにある。
【課題を解決するための手段】
【０００８】
上記課題を解決するために成された本発明に係る葬儀葬祭用照明具は、
火袋と、
該火袋の中に設けられた、光の色及び強度の少なくとも一方がそれぞれ異なる10〜20回/分の周期でばらばらに変化する複数のLED電球と、
前記複数のLED電球が周面に取り付けられた固定柱と、
前記固定柱の片端に取り付けられた、電球用ソケットに対応した口金と、
前記固定柱の前記口金側に、開口が前記固定柱側となるように設けられた、前記複数のLED電球が発する光を反射する多角錐状の反射板と、
前記固定柱の前記口金とは反対側に前記反射板と対向するように設けられた、頂部が丸みを帯びた円錐形状の光拡散カバーと
を有し、
前記複数のLED電球の少なくとも1つが前記反射板に向けて取り付けられていることを特徴とする。
【０００９】
本発明に係る葬儀葬祭用照明具では、LED光源を採用したことにより、従来の白熱電球に比べて光源の発熱量が小さく、省エネルギーであり、また寿命も長い。なお、LED光源は発熱量が小さいことから、本発明に係る葬儀葬祭用照明具では従来の白熱電球を用いた装置のような上昇気流を利用することができない。そこで、色又は強度（或いは双方）が自動的に変化するLED光源を用いることにより、従来の葬儀葬祭用照明具と同様の幽玄な雰囲気を出すようにしている。
【００１１】
また、火袋の中に、多角錐状の反射板が備えられており、前記複数のLED電球の少なくとも1つが前記反射板に向けて取り付けられていることにより、LED電球が発した光が火袋へ直接照射されるのに加え、反射板によって多方向へ反射された光も火袋へ照射されるので、火袋における光がより複雑且つ幻想的になる。
【００１２】
また、前記LED光源を構成する複数のLED電球の光の色又は強度の少なくとも一方がそれぞれ異なる10〜20回/分の周期でばらばらに変化するため、火袋に照射される光の色及び強度が、平常時におけるヒトの呼吸周期に近い周期でランダムに変化し、且つ、光彩装置を有する従来の葬儀葬祭用照明具と同じくゆっくりとした印象のものとなる。
【００１３】
さらには、前記LED光源が、固定柱の口金とは反対側に反射板と対向するように設けられた、頂部が丸みを帯びた円錐形状の光拡散カバーで覆われるため、LED光源からの直接光と多方面に反射された反射光とが光拡散カバーを透過する際に拡散されるので、火袋に照射される光がぼんやりとした穏やかなものとなる。
【発明の効果】
【００１４】
本発明に係る葬儀葬祭用照明具にて採用されるLED光源は、白熱電球に比べて一般的に消費電力が少なく、寿命も長い。従って、省エネルギーであるとともに光源の交換頻度を低減した葬儀葬祭用照明具を実現することができる。
また、本発明に係る葬儀葬祭用照明具では、LED光源の光の色又は強度が自動的に変化するため、白熱電球による上昇気流がなくても、火袋に照射される光の色や強度を変化させることが可能となる。
【図面の簡単な説明】
【００１５】
【図１】本発明の一実施例に係る葬儀葬祭用照明具１の全体外観図。
【図２】本発明の一実施例に係る葬儀葬祭用照明具１から火袋１１及び装飾部材１４を取り外した図。
【図３】本発明の一実施例に係る葬儀葬祭用照明具１のLED光源２０の全体側面図。
【図４】本発明の一実施例に係る葬儀葬祭用照明具１のLED光源２０を上から見た図。
【図５】本発明の一実施例に係る葬儀葬祭用照明具１の内部の電気回路構成図。
【図６】本発明に係る葬儀葬祭用照明具１において、LED光源２０の下部に反射板３０を取り付けた側面図。
【図７】図６の反射板３０の上面図。
【図８】図６においてさらに光拡散カバー４０を取り付けた側面図。
【発明を実施するための形態】
【００１６】
本発明の一実施例に係る葬儀葬祭用照明具の構成を、図面を参照しながら以下詳細に説明する。  
図１は、本発明に係る葬儀葬祭用照明具１の全体の外観を表した図である。葬儀葬祭用照明具１は、偏平球形状の火袋１１と、火袋１１の底面を構成する円形状の基台１２と、前記火袋１１及び前記基台１２を支持する脚部１３と、火袋１１の上部に取り付けられた装飾部材１４とを有する。葬儀葬祭用照明具１は脚部１３によって自立することができる。本実施例では装飾部材１４は唐草模様を模したものであり、左右対称に房飾りが取り付けられているが、本発明に係る葬儀総裁用照明具においては当然ながら図面での形状に限定されるものではない。
【００１７】
火袋１１は、竹や木、プラスチック等によって作製される骨組みに、紙や布等を貼り付けた提灯状のものである。基台１２及び脚部１３は、彩色された木やプラスチックによって好適に作製することができる。装飾部材１４は、彩色された木やプラスチック、布、多数の糸を束ねた房等によって作製される。
【００１８】
図２は、葬儀葬祭用照明具１から火袋１１及び装飾部材１４を取り外した図である。基台１２はその上面にソケット２１を有するとともに、ソケット２１には該ソケット２１に対応した口金を有するLED光源２０が取り付けられている。一般的な家庭用コンセント差込口からLED光源２０へ、ソケット２１と導通する電気コード並びに該電気コードの先端に設けられたコンセント（共に図示せず）により電力が供給される。
【００１９】
本発明に係る葬儀葬祭用照明具１におけるLED光源２０の特徴的な構造について、図３〜図５を参照して以下に説明する。
LED光源２０は、基台１２上面のソケット２１に対応した口金２２と、該口金２２に片端を取り付けられた固定柱２３と、固定柱２３の側面に取り付けられた複数のLED電球２４と、固定柱２３を覆う透明なガラス球２５から構成される。固定柱２３は六角柱状であり、計６面の側面を有している。それぞれの側面にはLED電球２４が４つずつ縦方向に取り付けられており、固定柱２３全体として計２４個のLED電球２４が取り付けられている。
【００２０】
図５は、葬儀葬祭用照明具１の電源装置１００の電気回路図である。電源装置１００は、商用電源からの入力電流を交流から直流に変換するための整流回路１０１、LED光源２０への出力電圧を安定化するための電圧調節回路１０２、LED光源２０に内蔵されLED電球２４に電流を流すための光源回路１０３に大別される。
【００２１】
光源回路１０３では、定抵抗２６と２個のLED電球２４とを直列に接続した構成を１ユニットとして、計１２ユニットが並列に接続されている。１ユニット中の２つのLED電球２４は、固定柱２３の同じ側面に取り付けられてもよいし、別個の側面にばらばらに取り付けられてもよい。
【００２２】
それぞれのLED電球２４は、赤、青、黄色の光を発する計３種のLEDチップを備えており（図示せず）、各LEDチップの光の強度が互いに異なる周期で自動的に変化することにより、LED電球２４が発する光の色及び強度が種々に変化する。この周期が様々に異なるLED電球２４を採用することにより、それぞれのLED電球２４の発する光の色及び強度が、互いにばらばらに変化する。
【００２３】
本実施例で採用したLED電球では、平均的に、10〜20回/分という、平常時におけるヒトの呼吸周期に近い周期で光の色及び強度が変化する。LED光源２０の固定柱２３に取り付けられた計２４個の前記LED電球２４のそれぞれにおいて、光の色及び強度がこのような周期でばらばらに変化することにより、火袋１１に照射される光の色及び強度がランダムに且つゆっくりとした印象で変化する。これにより、火袋の内部で光彩装置を回転させなくても、従来の葬儀葬祭用照明具と同様に火袋に照射される光の色及び強度が変化することができる。
【００２４】
さらに、本実施例に係る葬儀葬祭用照明具１の変形例について述べる。図６はLED光源２０の下部に多角錐状の反射板３０を取り付けた例を示す図であり、図７は前記反射板３０の上面図である。反射板３０は樹脂製で、その表面がアルミニウムなど光を反射する材料で被覆されている。図６では反射板３０を断面にて示す。
反射板３０の中央にはソケット２１の外径より僅かに大きい径を有する孔３１が設けられている。LED光源２０を取り外したソケット２１を前記孔３１の下から潜らせ、さらにLED光源２０の口金２２を前記ソケット２１に取り付けることにより、光源２０に反射板３０が取り付けられる。
反射板３０の表面は、様々な方向を向く多数の面から成るため、LED光源２０からの光を多方向へ反射させることができる。
反射板３０をLED光源２０に取り付けることにより、LED電球２４が発した光が火袋１１へ直接照射されるのに加え、反射板３０によって反射された光も火袋１１へ照射されるので、火袋１１における光の印象がより複雑且つ幻想的になる。
【００２５】
反射板３０をLED光源２０に取り付ける場合、LED光源２０に設けられている複数のLED電球２４のうちの一部を、反射板３０の方向へ向けるとよい。本実施例では、反射板３０をLED光源２０より下部に取り付けるとともに、固定柱２３に取り付けられた計２４個のLED電球２４のうち最下部に位置する計６個を、反射板３０のある下方向に向けて取り付けている。これにより、これら６個のLED電球２４が発する光を反射板３０に効率よく反射させることができるので、火袋１１における光の印象がさらに複雑になる。
【００２６】
図８は、反射板３０に加え、さらに光拡散カバー４０をLED光源２０に被せて取り付けた例を示す図である。光拡散カバー４０は頂部が丸みを帯びた円錐形状を有しており、半透明な素材によって作製される。LED光源２０が発した光は光拡散カバー４０を透過する際に、該光拡散カバー４０によって拡散されてから火袋１１に照射される。これにより、光拡散カバー４０を透過させない場合に比べ、ぼんやりとした穏やかな印象の光が得られる。
なお、反射板３０を用いずに、光拡散カバー４０だけをLED光源２０に取り付けても構わない。
【００２７】
LED電球２４が発する光の強度を変化させるための変形例として、定抵抗２６の代わりに電流制限素子を採用してもよい。この場合、１つのユニットを構成する２個のLED電球２４のそれぞれの光強度/色変動に電流制限素子による変動が重畳し、更に複雑な変化の様相を呈するようになる。
【００２８】
LED光源の構成及び形状は、上記実施例に限定されるものではない。例えば、LED電球の数は２４個より多くても少なくてもよく、固定柱は４角柱や円柱等といった６角柱以外の形状であってもよい。さらには、LED光源は光の色又は強度が自動的に変化するただ１つのLED電球であってもよい。
【００２９】
さらに、反射板３０はLED光源２０の下部に取り付けるとしたが、LED光源２０の背面に取り付けてもよい。
その他、反射板３０や光拡散カバー４０の形状及びそれらの相対位置は、図６〜図８に示した内容に限定されるものではなく、本発明の趣旨を逸脱しない範囲で種々の変形が可能であることは当然である。
【符号の説明】
【００３０】
１…葬儀葬祭用照明具
１１…火袋
１２…基台
１３…脚部
１４…装飾部材
１００…電源装置
１０１…整流回路
１０２…電圧調節回路
１０３…光源回路
２０…LED光源
２１…ソケット
２２…口金
２３…固定柱
２４…LED電球
２５…ガラス球
２６…定抵抗
３０…反射板
３１…孔
４０…光拡散カバー
【図１】
0005492130.tif 000002
【図２】
0005492130.tif 000003
【図３】
0005492130.tif 000004
【図４】
0005492130.tif 000005
【図５】
0005492130.tif 000006
【図６】
0005492130.tif 000007
【図７】
0005492130.tif 000008
【図８】
0005492130.tif 000009